(57)【特許請求の範囲】
【請求項１】
一端に石突きが固設され、他端に柄が取り付けられた管状の軸棒と、該軸棒に嵌挿され、上端に下ろくろを一体として備え、傘の開放時には前記石突き側に摺動移動され、かつ弾性ロック手段によって前記軸棒に保持され、一方、傘の閉鎖時には前記柄側に摺動される略円筒状の摺動駒と、前記石突きと摺動駒との間に位置し、該軸棒に固定された上ろくろと、該上ろくろに設けられた第２支点に一端が枢着され、他端が前記軸棒の軸芯に対称に延長配設される複数の主骨の一端に設けられた第２支持軸に軸着される第３支持骨と、前記石突きの下端に設けられた第１支点に一端が枢着され、対応する前記主骨にそれぞれ沿って延長配設され、かつ他端が該主骨に設けられた第１支持軸に軸着される第１支持骨と、前記下ろくろに設けられた第３支点に一端が枢着され、対応する前記主骨と第３支持骨にそれぞれ沿って延長配設され、かつ他端が該主骨に設けられた前記第２支持軸に、前記第３支持骨と共に軸着される第２支持骨と、前記第１支持骨と主骨の外側を覆って張設される張り布からなることを特徴とする雨傘。
【発明の詳細な説明】
【０００１】
【発明の属する技術分野】
本発明は雨傘に係り、特に濡れた張り布から周辺物への水滴の付着を防止するための構造を有する雨傘に関するものである。
【０００２】
【従来の技術】
混雑する時間帯の電車内等に濡れた雨傘が持ち込まれると、張り布の雨に濡れた表面が、電車内の周辺利用客のズボンやスカートの衣類に触れることにより、それらを濡らして迷惑を及ぼすことが屡々であった。また、雨に濡れた雨傘を傘立てに新たに収容する場合に、傘立てに隣接して収容されていた他の傘を濡らす原因となったり、濡れた雨傘よりも傘立ての奧に傘を収めようとするときや、濡れた雨傘よりも傘立ての奧に収容されている傘を、傘立てから取り出そうとする際に、雨傘の濡れた表面が傘立ての利用者の手や衣類を濡らし、不快な思いをすることもあった。
【０００３】
さらに、雨降りの日に自家用車や乗り合いバスなどに乗車する際、乗り込むという動作と共に傘を閉じようとすると、手元に多量の水滴が飛散したり、車内の床や座席シートを濡らす羽目に陥ることが多く、同様降車時に急いで傘を開く際にも、手元に水滴が懸かることが避けがたいものであった。
【０００４】
このような不都合を解消するために従来、濡れた傘布が表面に出ない構造の雨傘が提案されており、特開平３−３７００５号、特開平４−６７８０３号、特開２０００−３７２１７等においては、それぞれ雨傘の傘布の表面が内側に反転して収容できる構造を有する雨傘が開示されている。例えば特開平４−６７８０３号によれば、上端に石突き、下端に握り部を有する中心軸に、上部、下部の摺動可能な軸受けを設けと共に、各軸受けを係脱する出没可能なストッパを設け、上部軸受けにシート部分を取り付けた複数の主骨の各基端部分を枢着すると共に、下部軸受けに複数の補助骨の各基端部分を枢着し、該補助骨の相対する主骨に向かい屈曲した先端を該主骨に枢着し、該主骨または補助骨の長さを可変しうる反転助成装置を設けたもので、該反転助成装置は分割した主骨または補助骨の一方に固定され、他の主骨または補助骨を摺動可能に案内する案内ケースと、前記分割主骨の対向端面間に介在した圧縮スプリングまたは前記分割補助骨の対向端面間に介在した引張りスプリングからなり、上下の各ストッパを操作してフリーとなった上下軸受けが、中心軸に沿って移動する際、上部軸受けに連結されている主骨が介在する圧縮スプリングを押圧することにより短縮されるか、または下部軸受けに連結する引張りスプリングを引っ張ることによって伸長するかによって、下部軸受けに上部軸受けが近寄り、そのことによってシート部分と骨部分とが反転し、その状態で収納される構成になっている。
【０００５】
上記の発明による雨傘は、複数の主骨または補助骨の所定の位置を分割して、該分割箇所にそれぞれ反転助成装置を固定すると共に、主骨に介在する圧縮スプリングまたは補助骨に介在する引張りスプリングの作用により、シート部分と骨部分とを反転させる構成であるため、構造そのものが複雑となり、重量的にも過剰とならざるを得ないという不都合があった。
【０００６】
さらに、閉鎖した雨傘に多量の雨が付着した状態で雨傘を振り、付着した水滴を取り除こうとする場合に、雨傘の骨の構成要素が複雑になると水滴の流れの妨げとなり、水切りに必要以上の力を要する上、従来は雨傘の先端側には遠心力が懸かるが、柄側には十分な遠心力が懸からず、使用者の意に反して十分な水切りができないのが実状であった。
【０００７】
【発明が解決しようとする課題】
本発明は、前述したような濡れた雨傘による周囲の人の衣類や、周辺の配置物などへの水滴がもたらす悪影響を、未然に防止することを目的としてなされたもので、より詳しくは、雨天時に使用する際や、使用後に雨に濡れた雨傘を閉じる際に、極めて簡略な構造でかつ容易な操作で、張り布の濡れた表面が内側に収容されることにより、周囲に水滴による悪影響を及ぼさない構造を有し、さらには、十分な水切りが果たせる雨傘を提供することにある。
【０００８】
【課題を解決するための手段】
前記課題を解決するための本発明による雨傘は、一端に石突きが固設され、他端に柄が取り付けられた管状の軸棒と、該軸棒に嵌挿され、上端に下ろくろを一体として備え、傘の開放時には前記石突き側に摺動移動され、かつ弾性ロック手段によって前記軸棒に保持され、一方、傘の閉鎖時には前記柄側に摺動される略円筒状の摺動駒と、前記石突きと摺動駒との間に位置し、該軸棒に固定された上ろくろと、該上ろくろに設けられた第２支点に一端が枢着され、他端が前記軸棒の軸芯に対称に延長配設される複数の主骨の一端に設けられた第２支持軸に軸着される第３支持骨と、前記石突きの下端に設けられた第１支点に一端が枢着され、対応する前記主骨にそれぞれ沿って延長配設され、かつ他端が該主骨に設けられた第１支持軸に軸着される第１支持骨と、前記下ろくろに設けられた第３支点に一端が枢着され、対応する前記主骨と第３支持骨にそれぞれ沿って延長配設され、かつ他端が該主骨に設けられた前記第２支持軸に、前記第３支持骨と共に軸着される第２支持骨と、前記第１支持骨と主骨の外側を覆って張設される張り布からなることを特徴的構成要件とするものである。
【０００９】
上記構成を有する本発明によれば、傘を開放状態から閉じていくと、弾性ロック手段による摺動駒のロックが解除され、摺動駒が柄方向に移動するに従って、柄側に向かって凹状に開いていた主骨が、所定の位置で柄側に凸状に反転し、主骨の自由端部側と第１支持骨とが第１支持軸を中心に、主骨と第２支持骨とが第２支持軸を中心に、それぞれ互いに近づくように折り畳まれ、第１支持骨と主骨の外側に張設された張り布も、主骨の自由端部側と第１支持骨間に断面ほぼＷ字状に畳み込まれるので、閉鎖した傘の外側には濡れた表面が位置しなくなる。
【００１０】
【発明の実施の形態】
以下本発明の実施の形態を添付した図面に基づき説明する。
図１は本発明に係わる雨傘の一実施例の開放状態での構成を示す側面説明図、図２はこの実施例の閉鎖中期状態での構成を示す側面説明図、図３はこの実施例の閉鎖終期状態での構成を示す側面説明図である。図４はこの実施例の閉鎖中期状態における、弾性ロック手段の一部破断された状態を示す拡大側面図である。
【００１１】
本発明の一実施例に係わる雨傘を、使用に際して開いた状態で説明すると、図１に示すように管状の軸棒１の一端には石突き２が固設されており、また軸棒１の他端には利用者が傘の保持に使用する柄３が固定されている。該石突き２の下端には第１支点１１が設けられ、該第１支点１１には前記軸棒１の軸芯を中心に対称に延長配設された複数の第１支持骨８が枢着され、該第１支持骨の他端は、前記軸棒１の軸芯を中心に対称に延長配設される複数の主骨７の、所定の位置に形成された第１支持軸１４に回動自在に軸着されている。
【００１２】
石突き２と柄３の間において、軸棒１には円筒状の摺動駒６が摺動自在に嵌挿され、この摺動駒６の上部には下ろくろ５が一体に設けられ、該下ろくろ５には第３支点１３が設けられ、該第３支点１３には軸芯を中心に対称に延長配設された複数の第２支持骨９の一端が枢着されている。該第２支持骨９の他端は、前記主骨７の一端に設けられた第２支持軸１５に、回動自在に軸着されている。
【００１３】
上記摺動駒６と石突き２の間には、上ろくろ４が該軸棒１に固定された状態で位置し、該上ろくろ４には第２支点１２が設けられ、該第２支点１２には軸芯を中心に対称に延長配設された複数の第３支持骨１０が枢着されている。この第３支持骨１０の他端は、前記主骨７の一端に設けられた前記第２支持軸１５に、前記第２支持骨９と共に、回動自在に軸着されている。
【００１４】
張り布（図示せず）は石突き２を基点に、第１支持骨８の外側から主骨７の外側自由端部に亘って覆うように張設され、適宜箇所において該張り布は該第１支持骨８と主骨７に糸などにより固定されている。
【００１５】
管状の軸棒１のやや石突き２側の側壁の一部に開口１７ａが形成され、この開口１７ａ位置に置いて軸棒１の内壁にスプリング１９により外側に向けて付勢されたロック片１６ａが、傘が全開の状態で先端部を開口１７ａから突き出させ、摺動駒６に設けられたスリット１８に嵌合して、傘の全開状態をロック保持する（図１及び図４参照）。
【００１６】
一方、軸棒１の柄３側の近傍には前記ロック片１６ａと同様であるが、向きを逆にしたロック片１６ｂが設けられており、該ロック片１６ｂは雨傘を閉じたときに、摺動駒６の下方の円筒部に設けられたスリット１８に嵌合して、雨傘の閉鎖状態を保持する働きをする（図３参照）。
【００１７】
このように構成された本発明による雨傘は、図１に示す傘の全開状態では開口１７ａから突き出したロック片１６ａにより、摺動駒６は全開位置に保持されている。即ち摺動駒６を上方に摺動移動させて傘を全開位置にするに際して、該摺動駒６を上方へ摺動移動することにより、開口１７ａから突き出したロック片１６ａがスプリング１９のバネ力に抗して開口１７ａ内に押し込まれ、ロック片１６ａを乗り越えて石突き２側に摺動し、図１に示すようにロック片１６ａを乗り越えた摺動駒６は、図１に示すようにスプリング１９のばね付勢力で開口１７ａから突き出したロック片１６ａによりロック保持された状態となる。
【００１８】
この状態では石突き２の下端に設けられた第１支点１１に枢着された複数の第１支持骨８と、該第１支持骨８の他端と第１支持軸１４を介して回動自在に軸着している主骨７は、軸棒１の柄３側にそれぞれやや凹状の位置に保持されて、雨傘は緩やかな円錐形を保ち、該第１支持骨８と該主骨７とによって張り布が張設され、柄３を把持して傘を使用する利用者を雨から保護する。傘を使用した後傘を閉じるためには、好ましくは摺動駒６を若干石突き２側に近づけるように僅かに移動して、指でロック片１６ａを開口１７ａ内に押し込み、摺動駒６をロック片１６ａを乗り越えて柄３側に摺動移動させると、図２に示すように傘が閉じ始めて主骨７の自由端部側が軸棒１の石突き２に近づくように閉じ始めていく。
【００１９】
この状態からさらに摺動駒６を柄３側に近づけるように摺動移動させると、図３に示すように該摺動駒６の上部に一体に設けられた下ろくろ５も、同時に柄３側に摺動移動し、該下ろくろに設けられた第３支点に一端を枢着された複数の第２支持骨９が、その他端において第２支持軸１５を柄３側に引き寄せるように作用し、該第２支持軸１５において他端を回動自在に軸着していた第３支持骨１０は、その先端軸着部を柄３側にして軸棒１に沿うように折り畳まれる。
【００２０】
上記第３支持骨１０と共にその一端を第２支持軸１５に軸着されている主骨７は、該軸着部が柄３側に引き寄せられると共に、該第２支持軸１５と第１支持軸１４で回動反転し、その先端自由端部側が、石突き２に次第に近づき、終局において軸棒１とほぼ平行に折り畳まれる。同時に第１支持骨８は、第３支持骨１０とほぼ同方向でかつ、軸棒１とほぼ平行に折り畳まれ、この際、第１支持骨８と主骨７の外側を覆うように張設されていた張り布は、その表面を内側にして断面ほぼＷ字状に折り畳まれる。次いでさらに摺動駒６を柄３側に摺動移動して傘を閉じ終わった状態にすると、張り布は主骨７の自由端部側と、第１支持骨８間に折り畳まれて収納され、摺動駒６のスリット１８に柄３の近傍にあるロック片１６b が嵌合して傘の閉鎖状態を保持する。
【００２１】
このように本発明による雨傘は、一端に石突き２が固設され、他端に柄３が取り付けられた管状の軸棒１と、該軸棒１に嵌挿され、上端に下ろくろ５を一体として備え、傘の開放時には前記石突き２側に摺動移動され、かつ弾性ロック手段によって前記軸棒１に保持され、一方、傘の閉鎖時には前記柄３側に摺動される略円筒状の摺動駒６と、前記石突き２と摺動駒６との間に位置し、該軸棒１に固定された上ろくろ４と、該上ろくろ４に設けられた第２支点１２に一端が枢着され、他端が前記軸棒１の軸芯に対称に延長配設される複数の主骨７の一端に設けられた第２支持軸１５に軸着される第３支持骨１０と、前記石突き２の下端に設けられた第１支点１１に一端が枢着され、対応する前記主骨７にそれぞれ沿って延長配設され、かつ他端が該主骨７に設けられた第１支持軸１４に軸着される第１支持骨８と、前記下ろくろ５に設けられた第３支点１３に一端が枢着され、対応する前記主骨７と第３支持骨１０にそれぞれ沿って延長配設され、かつ他端が該主骨７に設けられた前記第２支持軸１５に、前記第３支持骨１０と共に軸着される第２支持骨９と、前記第１支持骨８と主骨７の外側を覆って張設される張り布とによって構成されている。
【００２２】
上記構成を有する本発明によれば、傘を開いた状態から閉じていくと、ロック手段による摺動駒６のロックが解除され、摺動駒６が柄３方向に移動するに従って、柄側３に向かって凹状に開いていた主骨７が、所定の位置で柄３側に凸状に反転し、主骨７の自由端部側と第１支持骨８とが第１支持軸１４を中心に、主骨７と第２支持骨９とが第２支持軸１５を中心に、それぞれ互いに近づくように折り畳まれ、、第１支持骨８と主骨７の外側に張設された張り布も、主骨７の自由端部側と第１支持骨８間に断面ほぼＷ字状に畳み込まれるので、閉鎖した傘の外側には濡れた表面が位置しなくなる。従って濡れた張り布は外側に露出せず、張り布の水滴に起因する周囲の人の衣類や、周辺配置物を濡らすという不快感を未然に防止する。また、柄３を握って傘に円弧運動を与えることにより、軸棒１の石突き２側先端側で軸棒１を中心にほぼ平行に、かつ略Ｗ字状に折り畳まれた張り布には、大きな遠心力が加わり優れた水切りが可能となる。
【００２３】
【発明の効果】
以上詳述したように本発明による雨傘は、摺動駒のロックを解除して傘を開放状態から閉じていくと、摺動駒が柄方向に移動するに従い、柄側に凹状に開いていた主骨が、所定の位置で柄側に凸状に反転し、主骨の自由端部側と、第１支持骨とが軸棒を中心に互いに近づくようにほぼ平行に折り畳まれ、張り布も主骨の自由端部側と、第１支持骨間に断面ほぼＷ字状に畳み込まれるので、閉鎖した傘の外側には張り布の濡れた表面は位置しなくなる。従って、濡れた張り布の表面が原因して、周囲の人の衣類や周辺配置物を濡らすという不快事を未然に防止する。さらに、本発明による雨傘は、一つの摺動駒と二つの弾性ロック手段によって、傘の開閉とその保持を可能とするなど、その構成要件が極めて簡略であるため、操作が容易でかつ低コストで所期の目的を達成することができると共に、斯かる簡素な構造により張り布に付着した水滴を、効果的に取り除くことが可能となる。
【図面の簡単な説明】
【図１】本発明に係わる雨傘の一実施例の開放状態での構成を示す側面説明図である。
【図２】同上実施例の閉鎖中期状態での構成を示す側面説明図である。
【図３】同上実施例の閉鎖終期状態での構成を示す側面説明図である。
【図４】同上実施例の閉鎖中期状態における弾性ロック手段の一部破断拡大説明図である。
【符号の説明】
１  軸棒
２  石突き
３  柄
４  上ろくろ
５  下ろくろ
６  摺動駒
７  主骨
８  第１支持骨
９  第２支持骨
１０  第３支持骨
１１  第１支点
１２  第２支点
１３  第３支点
１４  第１支持軸
１５  第２支持軸
１６  ロック片
１７  開口
１８  スリット
１９  スプリング
【図１】
0004761338.tif 000002
【図２】
0004761338.tif 000003
【図３】
0004761338.tif 000004
【図４】
0004761338.tif 000005